【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
基板上に、
複数のゲイト線と、複数のソース線と、複数の薄膜トランジスタと、透明導電膜でなる複数の画素電極と、ブラックマトリクスとを具備する画素部と、
前記画素部の周辺に設けられた複数のコモン部と、
端子部と、を有する表示装置であって、
前記複数のコモン部には、コモン電極と、前記コモン電極の上に第１の層間絶縁膜と、前記第１の層間絶縁膜の上に前記画素部より延在した前記ブラックマトリクスと、前記ブラックマトリクスの上に第２の層間絶縁膜と、前記第２の層間絶縁膜の上に前記透明導電膜と同じ膜でなる電極と、が順次積層して設けられており、
前記複数のコモン部における前記ブラックマトリクスには、複数の穴部が設けられており、
前記複数のコモン部において、前記透明導電膜と同じ膜でなる電極は、前記第１の層間絶縁膜、前記ブラックマトリクスの穴部、及び前記第２の層間絶縁膜を通って設けられた第１の開口によって前記コモン電極と電気的に接続され、且つ前記第２の層間絶縁膜に設けられた第２の開口によって前記ブラックマトリクスと電気的に接続され、
前記端子部には、端子電極と、前記端子電極の上に前記第１の層間絶縁膜と、前記第１の層間絶縁膜の上に前記第２の層間絶縁膜とが順次積層して設けられ、
前記端子部において、前記第１の層間絶縁膜及び前記第２の層間絶縁膜に設けられた第３の開口によって、前記透明導電膜と同じ膜でなる電極が前記端子電極と直接接続されることを特徴とする表示装置。
【請求項２】
基板上に、
複数のゲイト線と、複数のソース線と、複数の薄膜トランジスタと、透明導電膜でなる複数の画素電極と、ブラックマトリクスとを具備する画素部と、
前記画素部の周辺に設けられた複数のコモン部と、
端子部と、を有する表示装置であって、
前記複数のコモン部には、コモン電極と、前記コモン電極の上に第１の層間絶縁膜と、前記第１の層間絶縁膜の上に前記画素部より延在した前記ブラックマトリクスと、前記ブラックマトリクスの上に第２の層間絶縁膜と、前記第２の層間絶縁膜の上に前記透明導電膜と同じ膜でなる電極と、が順次積層して設けられており、
前記複数のコモン部における前記ブラックマトリクスには、複数の穴部が設けられており、
前記複数のコモン部において、前記透明導電膜と同じ膜でなる電極は、前記第１の層間絶縁膜、前記ブラックマトリクスの穴部、及び前記第２の層間絶縁膜を通って設けられた第１の開口によって前記コモン電極と電気的に接続され、且つ前記第２の層間絶縁膜に設けられた第２の開口によって前記ブラックマトリクスと電気的に接続され、
前記端子部には、端子電極と、前記端子電極の上に前記第１の層間絶縁膜と、前記第１の層間絶縁膜の上に前記第２の層間絶縁膜とが順次積層して設けられ、
前記端子部において、前記第１の層間絶縁膜及び前記第２の層間絶縁膜に設けられた第３の開口によって、前記透明導電膜と同じ膜でなる電極が前記端子電極と直接接続され、
前記コモン電極及び前記端子電極は、前記ソース線と同一層に設けられ、且つ同一の材料で構成されていることを特徴とする表示装置。
【請求項３】
基板上に、
複数のゲイト線と、複数のソース線と、複数の薄膜トランジスタと、透明導電膜でなる複数の画素電極と、ブラックマトリクスとを具備する画素部と、
前記画素部の周辺に設けられた複数のコモン部と、
端子部と、を有する表示装置であって、
前記複数のコモン部には、コモン電極と、前記コモン電極の上に第１の層間絶縁膜と、前記第１の層間絶縁膜の上に前記画素部より延在した前記ブラックマトリクスと、前記ブラックマトリクスの上に第２の層間絶縁膜と、前記第２の層間絶縁膜の上に前記透明導電膜と同じ膜でなる電極と、が順次積層して設けられており、
前記複数のコモン部における前記ブラックマトリクスには、複数の穴部が設けられており、
前記複数のコモン部において、前記透明導電膜と同じ膜でなる電極は、前記第１の層間絶縁膜、前記ブラックマトリクスの穴部、及び前記第２の層間絶縁膜を通って設けられた第１の開口によって前記コモン電極と電気的に接続され、且つ前記第２の層間絶縁膜に設けられた第２の開口によって前記ブラックマトリクスと電気的に接続され、
前記端子部には、端子電極と、前記端子電極の上に前記第１の層間絶縁膜と、前記第１の層間絶縁膜の上に前記第２の層間絶縁膜とが順次積層して設けられ、
前記端子部において、前記第１の層間絶縁膜及び前記第２の層間絶縁膜に設けられた第３の開口によって、前記透明導電膜と同じ膜でなる電極が前記端子電極と直接接続され、
前記端子部には前記複数のコモン部より延在した配線が接続されていることを特徴とする表示装置。
【請求項４】
基板上に、
複数のゲイト線と、複数のソース線と、複数の薄膜トランジスタと、透明導電膜でなる複数の画素電極と、ブラックマトリクスとを具備する画素部と、
前記画素部の周辺に設けられた複数のコモン部と、
端子部と、を有する表示装置であって、
前記複数のコモン部には、コモン電極と、前記コモン電極の上に第１の層間絶縁膜と、前記第１の層間絶縁膜の上に前記画素部より延在した前記ブラックマトリクスと、前記ブラックマトリクスの上に第２の層間絶縁膜と、前記第２の層間絶縁膜の上に前記透明導電膜と同じ膜でなる電極と、が順次積層して設けられており、
前記複数のコモン部における前記ブラックマトリクスには、複数の穴部が設けられており、
前記複数のコモン部において、前記透明導電膜と同じ膜でなる電極は、前記第１の層間絶縁膜、前記ブラックマトリクスの穴部、及び前記第２の層間絶縁膜を通って設けられた第１の開口によって前記コモン電極と電気的に接続され、且つ前記第２の層間絶縁膜に設けられた第２の開口によって前記ブラックマトリクスと電気的に接続され、
前記端子部には、端子電極と、前記端子電極の上に前記第１の層間絶縁膜と、前記第１の層間絶縁膜の上に前記第２の層間絶縁膜とが順次積層して設けられ、
前記端子部において、前記第１の層間絶縁膜及び前記第２の層間絶縁膜に設けられた第３の開口によって、前記透明導電膜と同じ膜でなる電極が前記端子電極と直接接続され、
前記コモン電極及び前記端子電極は、前記ソース線と同一層に設けられ、且つ同一の材料で構成され、
前記端子部には前記複数のコモン部より延在した配線が接続されていることを特徴とする表示装置。
【請求項５】
請求項１乃至４のいずれか１項において、前記コモン電極及び前記端子電極と同一層に設けられる電極は、チタン膜及びアルミニウム膜の２層膜で構成されていることを特徴とする表示装置。
【請求項６】
請求項１乃至５のいずれか１項において、前記透明導電膜はＩＴＯでなることを特徴とする表示装置。
【請求項７】
請求項１乃至６のいずれか１項において、前記複数のコモン部より延在した配線は、前記コモン電極と同じ材料であることを特徴とする表示装置。
【請求項８】
請求項１乃至７のいずれか１項において、前記画素電極は前記薄膜トランジスタのドレイン領域と電気的に接続されており、前記画素電極と前記ドレイン領域を電気的に接続するために、前記ソース線と同一層に電極が設けられていることを特徴とする表示装置。